(57)【要約】【課題】所望するチャンネルをより確実に且つ迅速に選択することができる放送受信機及び放送受信機のリモコン装置を実現する。【解決手段】放送番組に対応するチャンネルを選択するための入力を行うリモコン３０が、放送受信機１００において抽出された放送番組の番組タイトルデータを取得し、リモコン３０はその番組タイトルデータに基づき、リモコン３０の操作パネル３１に番組タイトルが表示されるチャンネルキーを表示することとし、ユーザは、番組タイトルが表示されるチャンネルキーを視認することにより、チャンネルキーに対応する放送番組の内容を認識することを可能にする構成にした。【選択図】図１
2007006407.tif 000002
【特許請求の範囲】
【請求項１】
多チャンネルの放送に関する放送信号を受信する受信部と、
前記受信部が受信した前記放送信号に応じた放送番組を放映する放送番組出力部と、
前記多チャンネルから所望するチャンネルを選択するためのチャンネルキーを表示するチャンネル表示手段を有し、そのチャンネル表示手段に表示されるチャンネルキーを選択することにより、選択したチャンネルに対応する放送番組を前記放送番組出力部が放映するように切り替えるためのリモコン装置と、
前記リモコン装置と放送番組に関する信号の授受を行うための受信機通信部と、を備える放送受信機において、
前記受信部が受信する前記放送信号に基づき、前記受信部が前記放送信号を受信した際に放映可能な放送番組の番組タイトルデータを抽出する番組タイトル抽出手段と、
前記番組タイトル抽出手段により抽出された番組タイトルの内、前記リモコン装置に出力すべき番組タイトルデータを選択する番組タイトルデータ選択制御手段と、
前記受信機通信部を介して入力される、前記リモコン装置の前記チャンネルキーが選択されたことを示すチャンネル選択信号に基づき、そのチャンネルキーに対応する放送番組が前記放送番組出力部で放映された回数又は時間をカウントする番組放映カウント手段と、
前記番組放映カウント手段がカウントした番組放映回数又は番組放映時間を、放送番組が放映される時間帯毎に記録する番組放映記録手段と、
前記番組放映記録手段に記録される番組放映回数又は番組放映時間に基づき、前記番組タイトル抽出手段が抽出し、前記番組タイトルデータ選択制御手段が選択した前記放送番組の番組タイトルデータを順序つける番組タイトル順序付与制御手段と、
前記番組タイトル順序付与制御手段により順序つけられた前記番組放送の番組タイトルデータに基づき前記チャンネル表示手段にチャンネルキーを表示するために、前記番組タイトルデータを前記受信機通信部を介して前記リモコン装置に出力する番組タイトルデータ出力手段と、
を備えることを特徴とする放送受信機。
【請求項２】
多チャンネルの放送に関する放送信号を受信する受信部と、
前記受信部が受信した前記放送信号に応じた放送番組を放映する放送番組出力部と、
前記多チャンネルから所望するチャンネルを選択するためのチャンネルキーを表示するチャンネル表示手段を有し、そのチャンネル表示手段に表示されるチャンネルキーを選択することにより、選択したチャンネルに対応する放送番組を前記放送番組出力部が放映するように切り替えるためのリモコン装置と、
前記リモコン装置と放送番組に関する信号の授受を行うための受信機通信部と、を備える放送受信機において、
前記受信部が受信する前記放送信号に基づき、前記受信部が前記放送信号を受信した際に放映可能な放送番組の番組タイトルデータを抽出する番組タイトル抽出手段と、
前記番組タイトル抽出手段が抽出した前記放送番組の番組タイトルデータに基づき前記チャンネル表示手段にチャンネルキーを表示するために、前記番組タイトルデータを前記受信機通信部を介して前記リモコン装置に出力する番組タイトルデータ出力手段と、
を備えることを特徴とする放送受信機。
【請求項３】
前記受信機通信部を介して入力される、前記リモコン装置の前記チャンネルキーが選択されたことを示すチャンネル選択信号に基づき、そのチャンネルキーに対応する放送番組が前記放送番組出力部で放映された回数を計数する番組放映回数計数手段と、
前記番組放映回数計数手段が計数した番組放映回数を、放送番組が放映される時間帯毎に記録する番組放映回数記録手段と、
前記番組放映回数記録手段に記録される番組放映回数に基づき、前記番組タイトル抽出
手段が抽出した前記放送番組の番組タイトルデータを順序つける番組タイトル順序付与制御手段と、を備え、
前記番組タイトルデータ出力手段は、前記番組タイトル順序付与制御手段により順序つけられた番組タイトルデータを前記リモコン装置に出力することを特徴とする請求項２に記載の放送受信機。
【請求項４】
前記受信機通信部を介して入力される、前記リモコン装置の前記チャンネルキーが選択されたことを示すチャンネル選択信号に応じて、そのチャンネルキーに対応する放送番組が前記放送番組出力部で放映された時間を計時する番組放映時間計時手段と、
前記番組放映時間計時手段が計時した番組放映時間を、放送番組が放映される時間帯毎に記録する番組放映時間記録手段と、
前記番組放映時間記録手段に記録される番組放映時間に基づき、前記番組タイトル抽出手段が抽出した前記放送番組の番組タイトルデータを順序つける番組タイトル順序付与制御手段と、を備え、
前記番組タイトルデータ出力手段は、前記番組タイトル順序付与制御手段により順序つけられた番組タイトルデータを前記リモコン装置に出力することを特徴とする請求項２に記載の放送受信機。
【請求項５】
前記番組タイトル抽出手段により抽出された番組タイトルデータの内、前記番組タイトルデータ出力手段が前記リモコン装置に出力する番組タイトルデータを所定の条件に基づき選択する番組タイトルデータ選択制御手段を備えることを特徴とする請求項２〜４のいずれか一項に記載の放送受信機。
【請求項６】
多チャンネルの放送に関する放送信号に基づいて様々な放送番組を放映する放送受信機が放映する放送番組を切り替えるために、放送番組に対応するチャンネルを選択する放送受信機のリモコン装置であって、
前記放送受信機と放送番組に関する信号の授受を行うためのリモコン通信部と、
前記放送受信機から出力された前記放送番組の番組タイトルデータを、前記リモコン通信部を介して取得する番組タイトルデータ取得手段と、
前記番組タイトルデータ取得手段が取得した前記番組タイトルデータであって、前記放送受信機において所定の条件を満たし選択されるとともに、前記放送受信機において前記放送番組が放映された番組放映回数又は番組放映時間に応じて順序つけられた前記番組タイトルデータに基づき、その順に番組タイトルが並ぶように前記放送番組の番組タイトルが表示される各チャンネルキーを表示するチャンネル表示手段と、
前記チャンネル表示手段に表示される前記チャンネルキーに対する操作入力に応じて、前記放送受信機において放映される放送番組を切り替えるための信号を前記リモコン通信部を介して送信する放送番組切替信号送信制御手段と、
を備えることを特徴とする放送受信機のリモコン装置。
【請求項７】
多チャンネルの放送に関する放送信号に基づいて様々な放送番組を放映する放送受信機が放映する放送番組を切り替えるために、放送番組に対応するチャンネルを選択する放送受信機のリモコン装置であって、
前記放送受信機と放送番組に関する信号の授受を行うためのリモコン通信部と、
前記放送受信機から出力された前記放送番組の番組タイトルデータを、前記リモコン通信部を介して取得する番組タイトルデータ取得手段と、
前記番組タイトルデータ取得手段が取得した前記番組タイトルデータに基づき、前記放送番組の番組タイトルが表示されるチャンネルキーを表示するチャンネル表示手段と、
前記チャンネル表示手段に表示される前記チャンネルキーに対する操作入力に応じて、前記放送受信機において放映される放送番組を切り替えるための信号を前記リモコン通信部を介して送信する放送番組切替信号送信制御手段と、
を備えることを特徴とする放送受信機のリモコン装置。
【請求項８】
前記チャンネル表示手段は、前記放送受信機において放送番組が放映された番組放映回数に基づき順序つけられた順に前記番組タイトルが並ぶように、前記チャンネルキーを表示することを特徴とする請求項７に記載の放送受信機のリモコン装置。
【請求項９】
前記チャンネル表示手段は、前記放送受信機において放送番組が放映された番組放映時間に基づき順序つけられた順に前記番組タイトルが並ぶように、前記チャンネルキーを表示することを特徴とする請求項７に記載の放送受信機のリモコン装置。
【請求項１０】
前記チャンネル表示手段は、前記放送受信機において所定の条件を満たし選択されて出力された前記放送番組の番組タイトルデータに基づく番組タイトルが表示されるチャンネルキーを表示することを特徴とする請求項７〜９のいずれか一項に記載の放送受信機のリモコン装置。
【発明の詳細な説明】
【技術分野】
【０００１】
本発明は、放送受信機及び放送受信機のリモコン装置に関する。
【背景技術】
【０００２】
従来、テレビなどの放送受信機により受信可能な情報媒体としてアナログ放送、ＢＳデジタル放送、ＣＳデジタル放送、ケーブル放送などがある。近年では地上波デジタル放送も加わり益々受信できるチャンネルの数が多くなり、ユーザにとっては多種、多様な放送から好みに合ったチャンネルをリモコン装置などを介して選択し、そのチャンネルに応じた放送番組を楽しむことが可能になっている。
【０００３】
そして、リモコン装置の液晶パネルに、現在選択されているチャンネル番号を表示することで、現在放送受信機で放映されている番組のチャンネルをユーザが認識することを可能にするリモコン装置が知られている（例えば、特許文献１参照。）。
【０００４】
また、リモコン装置の液晶タッチパネルにチャンネル番号を表示するとともに、そのチャンネル番号部分を押圧することにより、チャンネルを選択して切り替えることを可能にするリモコン装置が知られている（例えば、特許文献２参照。）。
【０００５】
また、現在放送受信機で受信可能な放送番組に対応するチャンネル番号をリモコン装置の液晶タッチパネルに表示することにより、多くのチャンネルの中から現在視聴可能な放送番組のチャンネルを選択することを可能にするリモコン装置が知られている（例えば、特許文献３参照。）。
【特許文献１】特開２００２−３１４８９３号公報
【特許文献２】再表２００２−２１８７７号公報
【特許文献３】特開平８−２６５８７１号公報
【発明の開示】
【発明が解決しようとする課題】
【０００６】
しかしながら、上記従来技術の場合、ユーザはリモコン装置に表示されるチャンネル番号からは、そのチャンネルに対応する放送番組のジャンルや内容を識別することはできないので、一度リモコン装置を操作してチャンネルに対応する放送番組を放送受信機に表示させたり、リモコン装置に表示されるチャンネル番号に基づいて所定の放送番組一覧表を参照したりすることで、そのチャンネルに対応する放送番組の内容を確認しなければならず、煩わしかった。
【０００７】
本発明の目的は、所望するチャンネルをより確実に且つ迅速に選択することができる放送受信機及び放送受信機のリモコン装置を提供することである。
【課題を解決するための手段】
【０００８】
以上の課題を解決するため、請求項１記載の発明は、多チャンネルの放送に関する放送信号を受信する受信部と、前記受信部が受信した前記放送信号に応じた放送番組を放映する放送番組出力部と、前記多チャンネルから所望するチャンネルを選択するためのチャンネルキーを表示するチャンネル表示手段を有し、そのチャンネル表示手段に表示されるチャンネルキーを選択することにより、選択したチャンネルに対応する放送番組を前記放送番組出力部が放映するように切り替えるためのリモコン装置と、前記リモコン装置と放送番組に関する信号の授受を行うための受信機通信部と、を備える放送受信機において、前記受信部が受信する前記放送信号に基づき、前記受信部が前記放送信号を受信した際に放
映可能な放送番組の番組タイトルデータを抽出する番組タイトル抽出手段と、前記番組タイトル抽出手段により抽出された番組タイトルの内、前記リモコン装置に出力すべき番組タイトルデータを選択する番組タイトルデータ選択制御手段と、前記受信機通信部を介して入力される、前記リモコン装置の前記チャンネルキーが選択されたことを示すチャンネル選択信号に基づき、そのチャンネルキーに対応する放送番組が前記放送番組出力部で放映された回数又は時間をカウントする番組放映カウント手段と、前記番組放映カウント手段がカウントした番組放映回数又は番組放映時間を、放送番組が放映される時間帯毎に記録する番組放映記録手段と、前記番組放映記録手段に記録される番組放映回数又は番組放映時間に基づき、前記番組タイトル抽出手段が抽出し、前記番組タイトルデータ選択制御手段が選択した前記放送番組の番組タイトルデータを順序つける番組タイトル順序付与制御手段と、前記番組タイトル順序付与制御手段により順序つけられた前記番組放送の番組タイトルデータに基づき前記チャンネル表示手段にチャンネルキーを表示するために、前記番組タイトルデータを前記受信機通信部を介して前記リモコン装置に出力する番組タイトルデータ出力手段と、を備えることを特徴とする。
【０００９】
請求項２記載の発明は、多チャンネルの放送に関する放送信号を受信する受信部と、前記受信部が受信した前記放送信号に応じた放送番組を放映する放送番組出力部と、前記多チャンネルから所望するチャンネルを選択するためのチャンネルキーを表示するチャンネル表示手段を有し、そのチャンネル表示手段に表示されるチャンネルキーを選択することにより、選択したチャンネルに対応する放送番組を前記放送番組出力部が放映するように切り替えるためのリモコン装置と、前記リモコン装置と放送番組に関する信号の授受を行うための受信機通信部と、を備える放送受信機において、前記受信部が受信する前記放送信号に基づき、前記受信部が前記放送信号を受信した際に放映可能な放送番組の番組タイトルデータを抽出する番組タイトル抽出手段と、前記番組タイトル抽出手段が抽出した前記放送番組の番組タイトルデータに基づき前記チャンネル表示手段にチャンネルキーを表示するために、前記番組タイトルデータを前記受信機通信部を介して前記リモコン装置に出力する番組タイトルデータ出力手段と、を備えることを特徴とする。
【００１０】
請求項３記載の発明は、請求項２に記載の放送受信機において、前記受信機通信部を介して入力される、前記リモコン装置の前記チャンネルキーが選択されたことを示すチャンネル選択信号に基づき、そのチャンネルキーに対応する放送番組が前記放送番組出力部で放映された回数を計数する番組放映回数計数手段と、前記番組放映回数計数手段が計数した番組放映回数を、放送番組が放映される時間帯毎に記録する番組放映回数記録手段と、前記番組放映回数記録手段に記録される番組放映回数に基づき、前記番組タイトル抽出手段が抽出した前記放送番組の番組タイトルデータを順序つける番組タイトル順序付与制御手段と、を備え、前記番組タイトルデータ出力手段は、前記番組タイトル順序付与制御手段により順序つけられた番組タイトルデータを前記リモコン装置に出力することを特徴とする。
【００１１】
請求項４記載の発明は、請求項２に記載の放送受信機において、前記受信機通信部を介して入力される、前記リモコン装置の前記チャンネルキーが選択されたことを示すチャンネル選択信号に応じて、そのチャンネルキーに対応する放送番組が前記放送番組出力部で放映された時間を計時する番組放映時間計時手段と、前記番組放映時間計時手段が計時した番組放映時間を、放送番組が放映される時間帯毎に記録する番組放映時間記録手段と、前記番組放映時間記録手段に記録される番組放映時間に基づき、前記番組タイトル抽出手段が抽出した前記放送番組の番組タイトルデータを順序つける番組タイトル順序付与制御手段と、を備え、前記番組タイトルデータ出力手段は、前記番組タイトル順序付与制御手段により順序つけられた番組タイトルデータを前記リモコン装置に出力することを特徴とする。
【００１２】
請求項５記載の発明は、請求項２〜４のいずれか一項に記載の放送受信機において、前記番組タイトル抽出手段により抽出された番組タイトルデータの内、前記番組タイトルデータ出力手段が前記リモコン装置に出力する番組タイトルデータを所定の条件に基づき選択する番組タイトルデータ選択制御手段を備えることを特徴とする。
【００１３】
請求項６記載の発明は、多チャンネルの放送に関する放送信号に基づいて様々な放送番組を放映する放送受信機が放映する放送番組を切り替えるために、放送番組に対応するチャンネルを選択する放送受信機のリモコン装置であって、前記放送受信機と放送番組に関する信号の授受を行うためのリモコン通信部と、前記放送受信機から出力された前記放送番組の番組タイトルデータを、前記リモコン通信部を介して取得する番組タイトルデータ取得手段と、前記番組タイトルデータ取得手段が取得した前記番組タイトルデータであって、前記放送受信機において所定の条件を満たし選択されるとともに、前記放送受信機において前記放送番組が放映された番組放映回数又は番組放映時間に応じて順序つけられた前記番組タイトルデータに基づき、その順に番組タイトルが並ぶように前記放送番組の番組タイトルが表示される各チャンネルキーを表示するチャンネル表示手段と、前記チャンネル表示手段に表示される前記チャンネルキーに対する操作入力に応じて、前記放送受信機において放映される放送番組を切り替えるための信号を前記リモコン通信部を介して送信する放送番組切替信号送信制御手段と、を備えることを特徴とする。
【００１４】
請求項７記載の発明は、多チャンネルの放送に関する放送信号に基づいて様々な放送番組を放映する放送受信機が放映する放送番組を切り替えるために、放送番組に対応するチャンネルを選択する放送受信機のリモコン装置であって、前記放送受信機と放送番組に関する信号の授受を行うためのリモコン通信部と、前記放送受信機から出力された前記放送番組の番組タイトルデータを、前記リモコン通信部を介して取得する番組タイトルデータ取得手段と、前記番組タイトルデータ取得手段が取得した前記番組タイトルデータに基づき、前記放送番組の番組タイトルが表示されるチャンネルキーを表示するチャンネル表示手段と、前記チャンネル表示手段に表示される前記チャンネルキーに対する操作入力に応じて、前記放送受信機において放映される放送番組を切り替えるための信号を前記リモコン通信部を介して送信する放送番組切替信号送信制御手段と、を備えることを特徴とする。
【００１５】
請求項８記載の発明は、請求項７に記載の放送受信機のリモコン装置において、前記チャンネル表示手段は、前記放送受信機において放送番組が放映された番組放映回数に基づき順序つけられた順に前記番組タイトルが並ぶように、前記チャンネルキーを表示することを特徴とする。
【００１６】
請求項９記載の発明は、請求項７に記載の放送受信機のリモコン装置において、前記チャンネル表示手段は、前記放送受信機において放送番組が放映された番組放映時間に基づき順序つけられた順に前記番組タイトルが並ぶように、前記チャンネルキーを表示することを特徴とする。
【００１７】
請求項１０記載の発明は、請求項７〜９のいずれか一項に記載の放送受信機のリモコン装置において、
前記チャンネル表示手段は、前記放送受信機において所定の条件を満たし選択されて出力された前記放送番組の番組タイトルデータに基づく番組タイトルが表示されるチャンネルキーを表示することを特徴とする。
【発明の効果】
【００１８】
請求項１記載の発明によれば、放送受信機は、受信部を介して受信可能な多チャンネルの放送に関する放送信号に基づき、その放送信号を受信した際に放映可能な放送番組の番
組タイトルを抽出することができ、その抽出して取得した番組タイトルデータを、チャンネルに対応する放送番組の放映に切り替えるためのリモコン装置に出力することができる。
【００１９】
そして、リモコン装置は抽出された番組タイトルデータに基づき、番組タイトルが表示されるチャンネルキーをチャンネル表示手段に表示することが可能になる。
【００２０】
つまり、この放送受信機は、放送信号に基づき抽出したチャンネルに対応する放送番組の番組タイトルデータをリモコン装置に送ることで、多チャンネルから所望するチャンネルを選択するためのチャンネルキーに放送番組の番組タイトルを表示させることができる。
【００２１】
よって、ユーザは、番組タイトルが表示されるチャンネルキーを視認することにより、チャンネルキーに対応する放送番組の内容を認識することが可能になる。
【００２２】
従って、この放送受信機は、チャンネルに対応する放送番組の内容を認識しやすくすることができ、チャンネル番号に基づきチャンネルを選択することに比べて、所望するチャンネルをより確実に且つ迅速に選択することができる放送受信機であるといえる。
【００２３】
特に、放送受信機は、受信機通信部を介して入力されるリモコン装置のチャンネルキーが選択されたことを示すチャンネル選択信号に基づき、そのチャンネルキーに対応する放送番組が放送番組出力部で放映された回数や時間をカウントし、記録することができる。
【００２４】
そして、記録した番組放映回数又は番組放映時間に基づき、抽出した放送番組の番組タイトルデータを順序つけて、その順序つけられた番組タイトルデータをリモコン装置に出力することができる。
【００２５】
つまり、この放送受信機において放送番組が放映された回数や時間に応じて、例えば、番組放映回数や番組放映時間が多い順に番組タイトルデータを順序つけてリモコン装置に出力することによって、リモコン装置はその順序つけられた順に番組タイトルが表示されるチャンネルキーを表示することができる。
【００２６】
よって、放送受信機における放送番組の視聴頻度の高い順などに応じて、放送番組の番組タイトルが表示されるチャンネルキーをリモコン装置に表示させることができるので、リモコン装置におけるチャンネル選択に関する操作性を向上させることができる。
【００２７】
また、この放送受信機は、抽出された番組タイトルの内、リモコン装置に出力すべき番組タイトルデータを選択することができる。
【００２８】
つまり、放送受信機において、予め所定の条件などを設定することによって、その設定された所定の条件に相当するチャンネルデータをリモコン装置に選択して出力することが可能になるので、リモコン装置において表示すべきチャンネルキー（番組タイトル）を確実に表示し、リモコン装置において表示すべきでないチャンネルキー（番組タイトル）を確実に表示させないようにするなど、カスタマイズされたチャンネルキーを備えるリモコン装置を有する放送受信機とすることができる。
【００２９】
請求項２記載の発明によれば、放送受信機は、受信部を介して受信可能な多チャンネルの放送に関する放送信号に基づき、その放送信号を受信した際に放映可能な放送番組の番組タイトルを抽出することができ、その抽出して取得した番組タイトルデータを、チャンネルに対応する放送番組の放映に切り替えるためのリモコン装置に出力することができる。
【００３０】
そして、リモコン装置は抽出された番組タイトルデータに基づき、番組タイトルが表示されるチャンネルキーをチャンネル表示手段に表示することが可能になる。
【００３１】
つまり、この放送受信機は、放送信号に基づき抽出したチャンネルに対応する放送番組の番組タイトルデータをリモコン装置に送ることで、多チャンネルから所望するチャンネルを選択するためのチャンネルキーに放送番組の番組タイトルを表示させることができる。
【００３２】
よって、ユーザは、番組タイトルが表示されるチャンネルキーを視認することにより、
チャンネルキーに対応する放送番組の内容を認識することが可能になる。
【００３３】
従って、この放送受信機は、チャンネルに対応する放送番組の内容を認識しやすくすることができ、チャンネル番号に基づきチャンネルを選択することに比べて、所望するチャンネルをより確実に且つ迅速に選択することができる放送受信機であるといえる。
【００３４】
請求項３記載の発明によれば、請求項２に記載の発明と同様の効果が得られることは無論のこと、放送受信機は、受信機通信部を介して入力されるリモコン装置のチャンネルキーが選択されたことを示すチャンネル選択信号に基づき、そのチャンネルキーに対応する放送番組が放送番組出力部で放映された回数を計数し、記録することができる。
【００３５】
そして、記録した番組放映回数に基づき、抽出した放送番組の番組タイトルデータを順序つけて、その順序つけられた番組タイトルデータをリモコン装置に出力することができる。
【００３６】
つまり、この放送受信機において放送番組が放映された回数に応じて、例えば、番組放映回数が多い順に番組タイトルデータを順序つけてリモコン装置に出力することによって、リモコン装置はその順序つけられた順に番組タイトルが表示されるチャンネルキーを表示することができる。
【００３７】
よって、放送受信機における放送番組の視聴頻度の高い順などに応じて、放送番組の番組タイトルが表示されるチャンネルキーをリモコン装置に表示させることができるので、リモコン装置におけるチャンネル選択に関する操作性を向上させることができる。
【００３８】
請求項４記載の発明によれば、請求項２に記載の発明と同様の効果が得られることは無論のこと、放送受信機は、受信機通信部を介して入力されるリモコン装置のチャンネルキーが選択されたことを示すチャンネル選択信号に応じて、そのチャンネルキーに対応する放送番組が放送番組出力部で放映された時間を計時し、記録することができる。
【００３９】
そして、記録した番組放映時間に基づき、抽出した放送番組の番組タイトルデータを順序つけて、その順序つけられた番組タイトルデータをリモコン装置に出力することができる。
【００４０】
つまり、この放送受信機において放送番組が放映された時間に応じて、例えば、番組放映時間が多い順に番組タイトルデータを順序つけてリモコン装置に出力することによって、リモコン装置はその順序つけられた順に番組タイトルが表示されるチャンネルキーを表示することができる。
【００４１】
よって、放送受信機における放送番組の視聴頻度の高い順などに応じて、放送番組の番組タイトルが表示されるチャンネルキーをリモコン装置に表示させることができるので、リモコン装置におけるチャンネル選択に関する操作性を向上させることができる。
【００４２】
請求項５記載の発明によれば、請求項２〜４のいずれか一項に記載の発明と同様の効果が得られることは無論のこと、放送受信機は、抽出された番組タイトルの内、リモコン装置に出力する番組タイトルデータを所定の条件に基づき選択することができる。
【００４３】
つまり、放送受信機において、予め所定の条件などを設定することによって、その設定された所定の条件に相当するチャンネルデータをリモコン装置に選択して出力することが可能になるので、リモコン装置において表示すべきチャンネルキー（番組タイトル）を確実に表示し、リモコン装置において表示すべきでないチャンネルキー（番組タイトル）を確実に表示させないようにするなど、カスタマイズされたチャンネルキーを備えるリモコン装置を有する放送受信機とすることができる。
【００４４】
請求項６記載の発明によれば、放送受信機のリモコン装置は、放送受信機が受信可能な多チャンネルの放送に関する放送信号に基づいて、その放送受信機から出力された放送番組の番組タイトルデータの入力を受け付けることにより番組タイトルデータを取得することができ、その取得した番組タイトルデータに基づき、チャンネル表示手段にその放送番組の番組タイトルが表示されるチャンネルキーを表示することができる。そして、そのチ
ャンネル表示手段に表示されるチャンネルキーに対する操作入力に応じて、放送受信機において放映される放送番組を切り替えるための信号を送信することができる。
【００４５】
つまり、放送受信機のリモコン装置は、放送受信機において受信可能な放送信号に基づき得られた番組タイトルデータを取得することによって、チャンネルや放送番組を選択するためのチャンネルキーに番組タイトルを表示することが可能になる。
【００４６】
よって、ユーザは、番組タイトルが表示されるチャンネルキーを視認することにより、チャンネルキーに対応する放送番組の内容を認識することが可能になり、リモコン装置を用いてチャンネル選択する際に、そのチャンネルキーに表示される番組タイトルを参考にしてチャンネルを選択することができる。
【００４７】
従って、この放送受信機のリモコン装置は、チャンネルに対応する放送番組の内容を認識しやすくすることができ、チャンネル番号に基づきチャンネルを選択することに比べて、所望するチャンネルをより確実に且つ迅速に選択することができるリモコン装置であるといえる。
【００４８】
特に、放送受信機において放送番組が放映された番組放映回数又は番組放映時間に応じて、例えば、番組放映回数や番組放映時間が多い順に順序つけられた番組タイトルデータを取得することによって、リモコン装置はその順序つけられた順に番組タイトルが表示されるチャンネルキーを表示することができる。
【００４９】
このように、放送受信機における放送番組の視聴頻度の高い順などに応じて、放送番組の番組タイトルが表示されるチャンネルキーをリモコン装置に表示させることができるので、リモコン装置におけるチャンネル選択に関する操作性を向上させることができる。
【００５０】
また、この放送受信機のリモコン装置は、放送受信機において所定の条件を満たし選択されて出力された放送番組の番組タイトルデータに基づく番組タイトルが表示されるチャンネルキーを表示することができる。
【００５１】
つまり、放送受信機において、予め所定の条件などを設定することによって、その設定された所定の条件に相当するチャンネルデータがリモコン装置に出力されることとなるので、リモコン装置において表示すべきチャンネルキー（番組タイトル）を確実に表示し、リモコン装置において表示すべきでないチャンネルキー（番組タイトル）を確実に表示させないようにするなど、カスタマイズされたチャンネルキーを備えるリモコン装置とすることができる。
【００５２】
請求項７記載の発明によれば、放送受信機のリモコン装置は、放送受信機が受信可能な多チャンネルの放送に関する放送信号に基づいて、その放送受信機から出力された放送番組の番組タイトルデータの入力を受け付けることにより番組タイトルデータを取得することができ、その取得した番組タイトルデータに基づき、チャンネル表示手段にその放送番組の番組タイトルが表示されるチャンネルキーを表示することができる。そして、そのチャンネル表示手段に表示されるチャンネルキーに対する操作入力に応じて、放送受信機において放映される放送番組を切り替えるための信号を送信することができる。
【００５３】
つまり、放送受信機のリモコン装置は、放送受信機において受信可能な放送信号に基づき得られた番組タイトルデータを取得することによって、チャンネルや放送番組を選択するためのチャンネルキーに番組タイトルを表示することが可能になる。
【００５４】
よって、ユーザは、番組タイトルが表示されるチャンネルキーを視認することにより、チャンネルキーに対応する放送番組の内容を認識することが可能になり、リモコン装置を用いてチャンネル選択する際に、そのチャンネルキーに表示される番組タイトルを参考にしてチャンネルを選択することができる。
【００５５】
従って、この放送受信機のリモコン装置は、チャンネルに対応する放送番組の内容を認識しやすくすることができ、チャンネル番号に基づきチャンネルを選択することに比べて、所望するチャンネルをより確実に且つ迅速に選択することができるリモコン装置であるといえる。
【００５６】
請求項８記載の発明によれば、請求項７に記載の発明と同様の効果が得られることは無論のこと、放送受信機のリモコン装置は、放送受信機において放送番組が放映された番組放映回数に基づき順序つけられた順に番組タイトルが並ぶようにチャンネルキーを表示することができる。
【００５７】
つまり、放送受信機において放送番組が放映された番組放映回数に応じて、例えば、番組放映回数が多い順に順序つけられた番組タイトルデータを取得することによって、リモコン装置はその順序つけられた順に番組タイトルが表示されるチャンネルキーを表示することができる。
【００５８】
よって、放送受信機における放送番組の視聴頻度の高い順などに応じて、放送番組の番組タイトルが表示されるチャンネルキーをリモコン装置が表示することができるので、リモコン装置におけるチャンネル選択に関する操作性を向上させることができる。
【００５９】
請求項９記載の発明によれば、請求項７に記載の発明と同様の効果が得られることは無論のこと、放送受信機のリモコン装置は、放送受信機において放送番組が放映された番組放映時間に基づき順序つけられた順に番組タイトルが並ぶようにチャンネルキーを表示することができる。
【００６０】
つまり、放送受信機において放送番組が放映された番組放映時間に応じて、例えば、番組放映時間が多い順に順序つけられた番組タイトルデータを取得することによって、リモコン装置はその順序つけられた順に番組タイトルが表示されるチャンネルキーを表示することができる。
【００６１】
よって、放送受信機における放送番組の視聴頻度の高い順などに応じて、放送番組の番組タイトルが表示されるチャンネルキーをリモコン装置が表示することができるので、リモコン装置におけるチャンネル選択に関する操作性を向上させることができる。
【００６２】
請求項１０記載の発明によれば、請求項７〜９のいずれか一項に記載の発明と同様の効果が得られることは無論のこと、放送受信機のリモコン装置は、放送受信機において所定の条件を満たし選択されて出力された放送番組の番組タイトルデータに基づく番組タイトルが表示されるチャンネルキーを表示することができる。
【００６３】
つまり、放送受信機において、予め所定の条件などを設定することによって、その設定された所定の条件に相当するチャンネルデータがリモコン装置に出力されることとなるので、リモコン装置において表示すべきチャンネルキー（番組タイトル）を確実に表示し、リモコン装置において表示すべきでないチャンネルキー（番組タイトル）を確実に表示させないようにするなど、カスタマイズされたチャンネルキーを備えるリモコン装置とすることができる。
【発明を実施するための最良の形態】
【００６４】
以下、図面を参照して本発明に係る放送受信機及び放送受信機のリモコン装置の実施形態について詳細に説明する。なお、本実施の形態においては、放送受信機としてテレビ放送受信機（以下、放送受信機）、放送受信機のリモコン装置としてリモコンを挙げて説明する。
【００６５】
図１は本発明に係る放送受信機１００やリモコン３０の要部構成を示すブロック図であり、図２は本発明に係るリモコン３０の平面図である。
【００６６】
図１、図２に示すように、放送受信機１００は、放送信号を受信する受信機本体１と、受信機本体１において受信された放送信号に基づく画像や音声を出力し放送番組を放映する放送番組出力部としての表示装置２０と、受信機本体１が受信した放送信号に応じた放送番組に対応つけられたチャンネルを選択して番組を切り替えるリモコン３０等を備えている。
【００６７】
受信機本体１は、図１に示すように、所望のチャンネルに対応する周波数帯域に存在するデジタル放送信号を、アンテナ１０を介して受信する受信部としてのチューナ２と、チューナ２により受信したデジタル放送信号を復号するデコーダ３と、表示装置２０に所定のオンスクリーンディスプレイ（以下、ＯＳＤ）表示をさせるＯＳＤ回路４と、デジタル放送の各チャンネルの発信周波数やチャンネル構成情報を記憶するメモリ５と、リモコン３０と通信を行うための受信機通信部６と、放送受信機１００の各部を制御するＣＰＵなどからなる制御部７と、を備えている。なお、この受信機本体１に、リモコン３０と同様の入力操作を可能とする操作ボタン群を備えるようにしてもよい。
【００６８】
アンテナ１０は、テレビジョン放送局から発信される高周波（ＲＦ）の符号化されたデジタル放送信号を受信する。
【００６９】
チューナ２は、受信部の一部として機能するアンテナ１０により受信されたデジタル放送信号の供給を受けるとともに、ユーザがリモコン３０などから入力したチャンネル選択に関する指示に応じて選局処理を行い、選択されたチャンネルに対応する周波数帯域に存在するデジタル放送信号を受信して、その放送信号を中間周波数（ＩＦ）に変調してデコーダ３に出力する。
【００７０】
つまり、チューナ２は受信可能な多チャンネルの放送に関する複数の放送信号のうち、リモコン３０などから入力されたチャンネルに応じた放送信号を選択するようにして放送番組を切り替える選局処理を行う。
【００７１】
デコーダ３は、チューナ２が受信したデジタル放送信号を復号（デコード）する。
【００７２】
ＯＳＤ回路４は、制御部７からの指令により、デコーダ３が復号した放送信号を表示装置２０に出力するとともに、受信可能なチャンネル情報などに関する所定の一覧表示（ＯＳＤ表示）を表示装置２０に表示させるためのＯＳＤ表示信号を出力する。
【００７３】
メモリ５は、各チャンネルの周波数帯域に関する情報や、チャンネル構成情報を記憶するとともに、放送受信機１００の工場出荷時にＯＳＤ表示に関する情報が記憶されている。
【００７４】
また、メモリ５は、後述する制御部７がカウントした番組放映回数又は番組放映時間を放送番組が放映される時間帯毎に記録する番組放映記録手段として機能する。
【００７５】
特に、後述する制御部７が計数した番組放映回数を放送番組が放映される時間帯毎に記録する場合、メモリ５は番組放映回数記録手段として機能し、後述する制御部７が計時した番組放映時間を放送番組が放映される時間帯毎に記録する場合、メモリ５は番組放映時間記録手段として機能する。
【００７６】
また、メモリ５は、ユーザが好んでよく視聴する放送番組（チャンネル）や、ユーザが視聴することを所望しない放送番組（チャンネル）に関する番組・チャンネルデータを所定の条件として記憶する。なお、この所定の条件とは、後述する制御部７が、リモコン３０に出力すべき番組タイトルデータを選択する際の基準、条件とするためのものである。例えば、ユーザが必ず視聴しようと所望する番組のチャンネルデータや、優先的に視聴しようとするジャンルに関する番組のチャンネルデータを記憶し、設定することにより、それらの番組に対応するチャンネルキーの優先順位を高くリモコン３０の操作パネル３１に表示したり、視聴しないアダルト番組のチャンネルデータを記憶し、設定することにより、その番組に対応するチャンネルキーをリモコン３０の操作パネル３１に表示しないようにしたりすることを可能にする。
【００７７】
また、メモリ５は、放送番組のジャンルを識別する基準となるキーワードを記憶する。
【００７８】
例えば、ニュースジャンル用のキーワードとしては「ニュース、報道、政治、経済、事件、事故、国際、国内・・・等」、スポーツジャンル用のキーワードとしては「スポーツ、野球、サッカー、水泳、ゴルフ、オリンピック・・・等」、ドラマジャンル用のキーワードとしては「ドラマ、俳優名、主演、共演、脚本、演出、ロケ地、サスペンス・・・等」、映画ジャンル用のキーワードとしては「映画、ムービー、シネマ、配給会社名、劇場公開年、洋画、邦画・・・等」をメモリ５は記憶し、それらキーワードに基づき、制御部７が放送信号に対応する放送番組のジャンルを識別することを可能にする。
【００７９】
また、メモリ５は、後述する制御部７により抽出されて選択されるとともに、順序つけられた放送番組の番組タイトルデータを記憶する。
【００８０】
受信機通信部６は、リモコン３０と所定の信号の送受信を行うことにより、受信機本体１とリモコン３０の間で各種データの授受を行う。
【００８１】
例えば、受信機通信部６は、リモコン３０から送信される放送番組を切り替えるためのチャンネル選択信号や、リモコン３０から送信される後述するリモコン３０の操作パネル３１に表示されるチャンネルキーの表示を切り替えるための表示チャンネル切替信号や、リモコン３０から送信される多チャンネルに関するチャンネルデータの受信確認信号などを受信し、その受信した各種信号を制御部７に送出する。
【００８２】
また、受信機通信部６は、後述する制御部７により抽出されたり順序つけられたりした放送番組の番組タイトルデータや、各種チャンネルデータをリモコン３０に送信する。
【００８３】
制御部７は、ユーザによるリモコン３０などを用いた入力操作等を受けて、放送受信機１００の各部の制御をデータバス（Data-Bus）を介して行う。
【００８４】
そして、制御部７は、ユーザによるリモコン３０などからのチャンネルを選択する入力指示により、チューナ２にそのチャンネルに対応する放送信号を受信させ、その放送信号をデコーダ３によって復号処理させるとともにＯＳＤ回路４を介して表示装置２０に出力させ、放送番組を放映する制御を行う。つまり、制御部７は、リモコン３０から送信される放送番組を切り替えるためのチャンネル選択信号の入力に基づき、チャンネルを切り替えるようにして放送番組を切り替える制御を実行する。
【００８５】
また、制御部７は、アンテナ１０やチューナ２を介して受信したデジタル放送信号に基づき、現在受信可能な放送信号に対応するチャンネルと、そのチャンネルに関する放送情報（放送番組データ、ＥＰＧ（Electronic Program Guide））を取得する制御を行う。
【００８６】
例えば、図３に示すように、放送受信機１００の受信機本体１において現在受信可能な放送信号として、チャンネル番号「２−１」から「２４−３」の１５チャンネルに相当する放送信号がある場合、制御部７は、そのチャンネル番号と、チャンネル番号に対応する放送情報である番組タイトルデータや番組案内のデータとからなるチャンネルマップなどのチャンネルデータを取得する。
【００８７】
なお、チャンネルマップにおいて、放送信号に関するチャンネル番号に対する番組案内のデータの中に番組タイトルデータが含まれていてもよい。
【００８８】
また、制御部７は、制御部７が有する時計機能やカレンダー機能を利用することにより、現在の時刻や日時、曜日等を特定する制御を実行する。
【００８９】
また、制御部７は、アンテナ１０やチューナ２を介して受信したデジタル放送信号に基づき、そのデジタル放送信号を受信した際に放映可能であり、現在受信が可能で放映可能な放送番組の番組タイトルを抽出する番組タイトル抽出手段として機能する。
【００９０】
具体的には、番組タイトル抽出手段としての制御部７は、取得したチャンネルマップに
含まれる各種データの中から、現在受信が可能で放映可能な放送番組の番組タイトルデータを抽出する。
【００９１】
また、制御部７は、番組タイトル抽出手段としての制御部７により抽出された番組タイトルデータの内、リモコン３０に出力する番組タイトルデータを選択する番組タイトルデータ選択制御手段として機能する。
【００９２】
具体的には、番組タイトルデータ選択制御手段としての制御部７は、メモリ５に記憶されている所定の条件を基準とするように、その条件に見合う番組タイトルデータを番組タイトル抽出手段としての制御部７により抽出された番組タイトルデータの中から選択する。
【００９３】
また、制御部７は、番組タイトル抽出手段としての制御部７が抽出し、番組タイトルデータ選択制御手段としての制御部７が選択した放送番組の番組タイトルデータをチャンネルデータとともに、受信機通信部６を介してリモコン３０に出力する番組タイトルデータ出力手段として機能する。
【００９４】
この番組タイトルデータ出力手段としての制御部７は、リモコン３０から送信された表示チャンネル切替信号を受信したことに伴い、番組タイトルデータをリモコン３０に出力する。
【００９５】
なお、番組タイトルデータ出力手段としての制御部７は、後述する番組タイトル順序付与制御手段としての制御部７に順序つけられた放送番組の番組タイトルデータをリモコン３０に出力する。
【００９６】
また、制御部７は、受信機通信部６を介して入力されるリモコン３０のチャンネルキーが選択されたことを示すチャンネル選択信号に基づき、そのチャンネルキーに対応する放送番組が表示装置２０で放映された回数又は時間をカウント（計数、計時）する番組放映カウント手段として機能する。
【００９７】
特に、制御部７は、受信機通信部６を介して入力されるリモコン３０のチャンネルキーが選択されたことを示すチャンネル選択信号に基づき、そのチャンネルキーに対応する放送番組が表示装置２０で放映された回数を計数する番組放映回数計数手段として機能し、また、制御部７は、受信機通信部６を介して入力されるリモコン３０のチャンネルキーが選択されたことを示すチャンネル選択信号に応じて、そのチャンネルキーに対応する放送番組が表示装置２０で放映された時間を計時する番組放映時間計時手段として機能する。
【００９８】
なお、番組放映カウント手段（番組放映回数計数手段、番組放映時間計時手段）としての制御部７は、カウントした放映番組の番組放映回数や番組放映時間を、その放送番組が放映される時間帯毎にメモリ５に記録する制御を実行する。
【００９９】
また、制御部７は、メモリ５に記録される番組放映回数や番組放映時間に基づき、番組タイトル抽出手段としての制御部７が抽出した放送番組の番組タイトルデータを順序つける番組タイトル順序付与制御手段として機能する。
【０１００】
具体的には、番組タイトル順序付与制御手段としての制御部７は、番組放映回数が多く、また番組放映時間が長い放送番組の番組タイトルデータほど、より高い順位になるように順序つける。
【０１０１】
なお、番組タイトルデータ選択制御手段としての制御部７が所定の条件に基づき番組タイトルデータを選択している場合、番組タイトル順序付与制御手段としての制御部７は、その選択された放送番組の番組タイトルデータを順序つけるようになっている。
【０１０２】
表示装置２０は、図１に示すように、受信機本体１が受信した放送信号に基づく音声データに応じて音声を出力する音声出力部２１と、放送信号に基づく画像データに応じて画像を表示する画像表示部２２と、を有している。
【０１０３】
音声出力部２１は、例えば、スピーカ機器であり、受信機本体１が受信した放送信号に
基づく音声データに応じた音声を出力する。
【０１０４】
画像表示部２２は、例えば、液晶表示機器であり、受信機本体１が受信した放送信号に基づく画像データに応じた画像や映像を表示する。
【０１０５】
リモコン３０は、ユーザによる操作指示を受信機本体１に対して入力するための装置であり、受信機本体１及び表示装置２０の動作を、赤外線等を用いて指示できるように構成されている。
【０１０６】
リモコン３０は、図１、図２に示すように、各種操作キーなどが配置される操作パネル３１と、デジタル放送に関するチャンネルデータを記憶するメモリ３２と、受信機本体１と通信を行うためのリモコン通信部３３と、リモコン３０の各部を制御するＣＰＵなどからなる制御部３４と、を備えている。
【０１０７】
操作パネル３１は、図２に示すように、例えば、各種スイッチや操作キーなどが表示されるチャンネル表示手段としての表示部３１ａを備えている。
【０１０８】
この操作パネル３１には、受信機本体１及び表示装置２０の電源をオン／オフするパワーキー３１１と、放送受信機１００のチャンネルを選択するためのチャンネルキーが表示されるチャンネル番号表示領域３１２と、受信機本体１及び表示装置２０のメニュー画面を呼び出すメニューキー３１３と、放送受信機１００（表示装置２０）の音声ボリュームを調整するボリュームアップ／ダウンキー３１４と、現在受信可能で視聴可能な放送番組のチャンネルキーをチャンネル番号表示領域３１２に表示させるチャンネル表示キー３１５と、各種操作・選択入力を行うための上下左右キー３１６等が、表示部３１ａに表示されて備えている。
【０１０９】
なお、操作パネル３１は、いわゆるタッチパネルスイッチとなっており、表示部３１ａに表示される各種スイッチや操作キーをタッチ入力することによって様々な指示入力、選択入力を行うことができるようになっている。
【０１１０】
メモリ３２は、受信機本体１から送信された多チャンネルに関するチャンネルデータを記憶する。なお、このチャンネルデータには、受信機本体１（放送受信機１００）が受信可能な放送番組の番組タイトルが、その放送番組が表示装置２０で放映された回数や時間の多い順に順序つけられた番組タイトルデータが含まれ、チャンネル番号と各チャンネルの周波数帯域に関する情報と、その番組タイトルデータとが関連つけられたデータである。また、番組タイトルデータは、放送受信機１００において所定の条件を満たすことにより選択されたものである。
【０１１１】
リモコン通信部３３は、受信機本体１と所定の信号の送受信を行うことにより、リモコン３０と受信機本体１の間で各種データの授受を行う。
【０１１２】
例えば、リモコン通信部３３は、表示チャンネル切替信号に応じて受信機本体１から送信される番組タイトルデータを含むチャンネルデータを受信し、その受信した信号やデータを制御部３４に送出する。
【０１１３】
また、リモコン通信部３３は、放送番組を切り替えるためのチャンネル選択信号や、現在受信可能で視聴可能な放送番組のチャンネルキーを操作パネル３１の表示部３１ａに表示させるための表示チャンネル切替信号や、チャンネルに関するチャンネルデータの受信確認信号などを受信機本体１に送信する。
【０１１４】
制御部３４は、リモコン３０における入力操作や、受信機本体１からの各種信号等に基づき、リモコン３０の各部の制御をデータバス（Data-Bus）を介して行う。
【０１１５】
そして、制御部３４は、操作パネル３１の所定の操作キーが押下されたことに伴い、放送番組を切り替えるためのチャンネル選択信号や、現在受信可能で視聴可能な放送番組のチャンネルキーを操作パネル３１の表示部３１ａに表示させるための表示チャンネル切替
信号を、受信機本体１に送信する制御を実行する。
【０１１６】
特に、制御部３４は、操作パネル３１に表示されるチャンネルキーに対する操作入力に応じて、チャンネル選択信号を受信機本体１に送信することで、放送受信機１００（表示装置２０）において放映される放送番組を切り替えるようにする放送番組切替信号送信制御手段として機能する。
【０１１７】
また、制御部３４は、操作パネル３１に表示されるチャンネル表示キー３１５に対する操作入力に応じて、表示チャンネル切替信号を受信機本体１に送信する。
【０１１８】
また、制御部３４は、受信機本体１から送信された多チャンネルに関するチャンネルデータを、リモコン通信部３３を介して取得する制御を実行する。
【０１１９】
特に、制御部３４は、受信機本体１から出力された放送番組の番組タイトルデータを、リモコン通信部３３を介して取得する番組タイトルデータ取得手段として機能する。
【０１２０】
なお、番組タイトルデータ取得手段としての制御部３４は、受信機本体１から送信された多チャンネルに関するチャンネルデータ、特に番組タイトルデータをメモリ３２に記憶させる制御を実行する。
【０１２１】
また、制御部３４は、メモリ３２に記憶されたチャンネルデータに応じて、操作パネル３１（表示部３１ａ）のチャンネル番号表示領域３１２に、番組タイトルが表示されるチャンネルキーを表示する制御を実行する。
【０１２２】
特に、制御部３４は、放送受信機１００において所定の条件を満たすことにより選択されるとともに、放送受信機１００において放送番組が放映された番組放映回数又は番組放映時間に応じて順序つけられた番組タイトルデータに基づき、その順に番組タイトルが並ぶように放送番組の番組タイトルが表示される各チャンネルキーを表示する制御を実行する。
【０１２３】
つまり、操作パネル３１の表示部３１ａのチャンネル番号表示領域３１２には、放送受信機１００において所定の条件を満たし選択されて出力された放送番組の番組タイトルデータに基づく番組タイトルが表示されるチャンネルキーが、制御部３４の制御によって表示される。
【０１２４】
特に、操作パネル３１の表示部３１ａには、放送受信機１００において放送番組が放映された番組放映回数に基づき順序つけられた順や、放送受信機１００において放送番組が放映された番組放映時間に基づき順序つけられた順に番組タイトルが並ぶようにチャンネルキーが表示される。
【０１２５】
また、制御部３４は、受信機本体１から送信された多チャンネルに関するチャンネルデータを正常に受信した際に、チャンネルデータの受信確認信号をリモコン通信部３３を介して受信機本体１に送信する制御を行う。
【０１２６】
次に、放送受信機１００において受信する放送信号に基づき、リモコン３０の操作パネル３１にチャンネルに対応する放送番組の番組タイトルを表示する処理について、図４に示すフローチャートに基づき説明する。
【０１２７】
まず、リモコン３０において、リモコン３０の制御部３４が、図２に示すリモコン３０の操作パネル３１におけるチャンネル表示キー３１５が押下されたと判断すると（ステップＳ１０１；Ｙｅｓ）、制御部３４は、表示チャンネル切替信号を受信機本体１に送信する（ステップＳ１０２）。
【０１２８】
次いで、受信機本体１は、送信された表示チャンネル切替信号を受信する（ステップＳ１０３）。
【０１２９】
そして、受信機本体１の制御部７は、受信機本体１において現在受信可能な放送信号に関するチャンネルマップを取得する（ステップＳ１０４）。
【０１３０】
次いで、制御部７は、メモリ５に記録されている所定の条件（ユーザが必ず視聴しようと所望する番組のチャンネルデータや、視聴を拒否する番組のチャンネルデータ、またユーザが優先的に視聴を所望する番組のジャンルに関するチャンネルデータ）や、リモコン３０の操作パネル３１に表示するチャンネルキーの順序に関するデータ（放送番組に関する視聴履歴や視聴頻度のデータ）を取得する（ステップＳ１０５）。
【０１３１】
次いで、受信機本体１の制御部７は、取得したチャンネルマップに含まれるチャンネルデータから現在受信可能で放映可能な放送番組の番組タイトルデータを抽出するとともに、取得した所定の条件やチャンネルキー順序データに基づき、リモコン３０に出力する番組タイトルデータを選択しつつ順序つけて取得する（ステップＳ１０６）。
【０１３２】
そして、制御部７は、取得した番組タイトルデータをチャンネルデータとともにリモコン３０に送信する（ステップＳ１０７）。
【０１３３】
次いで、リモコン３０は、送信された番組タイトルデータを受信する（ステップＳ１０８）。
【０１３４】
そして、リモコン３０の制御部３４は、受信し取得したチャンネルデータや番組タイトルデータをメモリ３２に記憶するとともに、図５に示すように、リモコン３０の操作パネル３１のチャンネル番号表示領域３１２にその番組タイトルデータに応じた番組タイトルが表示されるチャンネルキーを表示し（ステップＳ１０９）、ステップＳ１１０へ進む。
【０１３５】
なお、ステップＳ１０９において、リモコン３０がチャンネルデータや番組タイトルデータを正常に受信した旨を通知するために、制御部３４はチャンネルデータや番組タイトルデータの受信確認信号を受信機本体１に送信する。そして、受信機本体１の制御部７は、その受信確認信号を受信しない場合には、チャンネルデータや番組タイトルデータを再送信するようになっている。
【０１３６】
ここで、リモコン３０の操作パネル３１に表示されるチャンネルキー部分には、取得した番組タイトルデータに応じた番組タイトルが表示されるので、ユーザはチャンネルキーに表示される番組タイトルによって、チャンネルに対応する放送番組の内容を認識しやすくなっている。
【０１３７】
例えば、チャンネルに対応する放送番組がドラマである場合、そのドラマの番組名称や放送回のサブタイトルなど（例えば、「連続テレビ小説“特許物語〜知られざる特許の世界”、第１０１回目」）がチャンネルキーに表示されたり、また、チャンネルに対応する放送番組がスポーツである場合、そのスポーツの種目など（例えば、「プロ野球“ＭｖｓＷ”」、「競馬中継“特許庁記念杯”」）がチャンネルキーに表示されたりするので、ユーザはチャンネルキーを押下する前に、そのチャンネルキーの番組タイトルの表示を視認することによって、放送番組の内容を認識することができる。
【０１３８】
なお、リモコン３０の操作パネル３１に表示されるチャンネルキーは、受信機本体１において記録されたそのチャンネルに対応する放送番組の放映回数や放映時間に基づき順序つけられた順（例えば、放映回数や放映時間の多い順）に表示されている。
【０１３９】
また、ユーザにより予め所定の条件（必ず表示する放送番組のチャンネル、絶対に表示しない放送番組のチャンネル、優先的に表示する放送番組のジャンル、などに関する条件）がメモリ５に記憶され、設定されている場合、その設定された所定の条件に応じて、例えば、必ず表示すべき放送番組のチャンネルキーをチャンネル番号表示領域３１２の筆頭に表示したり、優先的に表示すべきスポーツジャンルの放送番組のチャンネルキーをチャンネル番号表示領域３１２の前半部分に集中させて表示したりするようになっている。
【０１４０】
なお、図５に示すリモコン３０には、図３に示すチャンネルマップにおけるチャンネル番号「２−１」から「１７−１」の１０チャンネルに相当するチャンネルの番組タイトルが表示されている。チャンネル番号「１７−２」から「２４−３」に相当するチャンネルの番組タイトルを表示するには、リモコン３０の操作パネル３１の上下左右キー３１６を
操作することによってチャンネル番号表示領域３１２をスクロールするなどして表示画面を切り替えればよい。
【０１４１】
ステップＳ１１０において、リモコン３０の制御部３４が、図５に示すリモコン３０の操作パネル３１におけるチャンネル番号表示領域３１２に表示されるチャンネルキーが押下されたと判断すると（ステップＳ１１０；Ｙｅｓ）、リモコン３０の制御部３４は、チャンネル選択信号を受信機本体１に送信する（ステップＳ１１１）。
【０１４２】
次いで、受信機本体１は、送信されたチャンネル選択信号を受信し（ステップＳ１１２）、受信したそのチャンネル選択信号に応じて、選択されたチャンネルの放送番組に切り替えて、その放送番組を表示装置２０で放映する（ステップＳ１１３）。
【０１４３】
そして、受信機本体１の制御部７は、その放送番組を表示装置２０で放映した放映回数や放映時間をカウントするとともに、カウントした放映回数や放映時間を放映時間帯毎にメモリ５に記録する（ステップＳ１１４）。このように放送受信機１００の受信機本体１は、リモコン３０で選択されたチャンネルキーに対応する放送番組を放映するとともに、その放送番組の放映回数や放映時間をメモリ５に記憶することを繰り返すことにより、この放送受信機１００のユーザが視聴した放送番組に関する視聴履歴や、放送番組の視聴頻度を記録することができる。そして、ステップＳ１０６において番組タイトルデータを順序つけるためのチャンネルキー順序データとして利用することができる。
【０１４４】
このように、放送受信機１００は、アンテナ１０やチューナ２を介して受信した放送信号に基づき、現在受信可能で放映可能な放送番組に関する番組タイトルを抽出して取得するとともに、リモコン３０の操作パネル３１にその番組タイトルを表示するチャンネルキーを表示することができるので、ユーザはチャンネルキーに表示される番組タイトルによって、チャンネルに対応する放送番組の内容を認識したうえで、チャンネル変更、チャンネル選択を行うことができる。
【０１４５】
つまり、チャンネル番号に基づきチャンネルを選択することに比べて、所望するチャンネルをより確実に且つ迅速に選択することができる。
【０１４６】
よって、ユーザが視聴を所望する放送番組を放送受信機１００において放映するようにチャンネルを切り替えることを好適に行うことが可能になる。
【０１４７】
また、放送受信機１００の表示装置２０において放映された放送番組に関する視聴履歴や視聴頻度のデータをメモリ５に記録しておくことによって、視聴頻度の高い順に放送番組のチャンネルキーをリモコン３０の操作パネル３１におけるチャンネル番号表示領域３１２に表示することができるので、リモコン３０におけるチャンネル選択に関する操作性を向上させることができる。
【０１４８】
また、ユーザが、予め所定の条件を設定することによって、その設定された所定の条件に応じて、チャンネルキーの表示／非表示や、チャンネルキーの表示順を調整することができるので、カスタマイズされたチャンネルキーを備えるリモコン３０とすることができる。
【０１４９】
なお、以上の実施の形態においては、リモコン３０の操作パネル３１におけるチャンネル番号表示領域３１２に表示されるチャンネルキー部分を押下することにより、チャンネルを選択するとしたが、本発明はこれに限定されるものではなく、例えば、上下左右キー３１６によって移動させるカーソルによってチャンネル番号表示領域３１２のチャンネルキー部分を指定するようにしてチャンネルを選択するようにしてもよい。
【０１５０】
また、以上の実施の形態においては、リモコン３０の操作パネル３１に表示されるチャンネル表示キー３１５が選択された際に表示チャンネル切替信号が発信されて、新たな番組タイトルデータが取得されるとしたが、本発明はこれに限定されるものではなく、例えば、放送受信機１００（受信機本体１）の主電源がオンされた際に表示チャンネル切替信
号が発信されるようにしてもよく、また、所定時間毎、例えば、１時間毎に自動的に表示チャンネル切替信号が発信されて新たな番組タイトルデータを取得し、リモコン３０の操作パネル３１に表示されるチャンネルキーを更新するようにしてもよい。
【０１５１】
また、所定の条件として「文字放送（字幕放送）」を設定することによって、文字放送（字幕放送）を行う放送番組に絞り込んで、そのチャンネルを表示するようにすれば、難聴者が好適に楽しむことができる放送番組をピックアップすることができる。
【０１５２】
また、その他、具体的な細部構造等についても適宜に変更可能であることは勿論である。
【図面の簡単な説明】
【０１５３】
【図１】本発明に係る放送受信機やリモコンの要部構成を示すブロック図である。
【図２】本発明に係るリモコンの平面図である。
【図３】チャンネルマップの一例を示す説明図である。
【図４】リモコンの操作パネルに番組タイトルが表示されるチャンネルキーを表示する処理を示すフローチャートである。
【図５】本発明に係るリモコンの平面図である。
【符号の説明】
【０１５４】
１      受信機本体
２      チューナ（受信部）
３      デコーダ
４      ＯＳＤ回路
５      メモリ（番組放映記録手段、番組放映回数記録手段、番組放映時間記録手段）
６      受信機通信部
７      制御部（タイトル抽出手段、番組タイトルデータ選択制御手段、番組放映カウント手段、番組放映回数計数手段、番組放映時間計時手段、番組タイトル順序付与手段）
１０    アンテナ（受信部）
２０    表示装置（放送番組出力部）
２１    音声出力部
２２    画像表示部
３０    リモコン（放送受信機のリモコン装置）
３１    操作パネル（チャンネル表示手段）
３１１  パワーキー
３１２  チャンネル番号表示領域（チャンネル表示手段）
３１３  メニューキー
３１４  ボリュームキー
３１５  チャンネル表示キー
３１６  上下左右キー
３２    メモリ
３３    リモコン通信部
３４    制御部（番組タイトルデータ取得手段、放送番組切替信号送信制御手段）
１００  放送受信機
【図１】
2007006407.tif 000003
【図２】
2007006407.tif 000004
【図３】
2007006407.tif 000005
【図４】
2007006407.tif 000006
【図５】
2007006407.tif 000007